(57)【要約】  【課題】駆動モータとルーバユニットとの連絡をスムーズに行い、異音の低減を図り得る風向変更装置およびこれを備えた空気調和機を提供する。  【解決手段】ルーバベース２５に複数の縦ルーバが横方向に間隔をおいて配列されると共に回動自在に枢支されてなるルーバユニット１４を、吹出し口４に着脱自在に設け、ルーバベース２５に縦ルーバ２７と連絡する回転軸２０の嵌合部４１にルーバベース２５の開口３０を通して、駆動モータ１５のジョイント軸１９をギヤの介在なしに直接着脱自在に連結する。  【選択図】  図７
2005147486.tif 000002
【特許請求の範囲】
【請求項１】
ルーバベースに複数の縦ルーバが横方向に間隔をおいて配列されると共に回動自在に枢支されてなるルーバユニットを備え、該ルーバユニットが吹出し口に着脱自在に設けられた風向変更装置であって、前記ルーバベースに縦ルーバと連絡する回転軸が回転自在に設けられ、該回転軸に前記吹出し口の風向変更用駆動モータのモータ軸に連結する嵌合部が設けられ、該嵌合部が前記ルーバベースに形成された開口を通して前記モータ軸に着脱自在に連結されることを特徴とする風向変更装置。
【請求項２】
前記モータ軸の先端にジョイント軸が嵌着され、該ジョイント軸が前記回転軸の嵌合部に着脱自在に連結されることを特徴とする請求項１に記載の風向変更装置。
【請求項３】
前記ルーバユニットおよびジョイント軸が合成樹脂により構成されていることを特徴とする請求項２に記載の風向変更装置。
【請求項４】
前記回転軸の嵌合部に、これをモータ軸またはジョイント軸と一体的に回転させるための回り止め手段が設けられたことを特徴とする請求項１または２に記載の風向変更装置。
【請求項５】
前記回り止め手段は、前記回転軸の嵌合部とこれに嵌合するモータ軸またはジョイント軸の断面形状を軸中心に対して非円形に形成されてなることを特徴とする請求項４に記載の風向変更装置。
【請求項６】
前記ルーバベースの開口が、ルーバベースの一側端部において、その側面から底面にかけて連続して形成され、前記回転軸の嵌合部に前記モータ軸に横方向から嵌合するための挿入口が形成され、前記ルーバユニットの側面および底面開口を通してルーバユニットを前記モータ軸またはジョイント軸に対して横方向から進入させることにより、前記嵌合部をモータ軸またはジョイント軸に横方向から着脱自在に嵌合することを特徴とする請求項１または２に記載の風向変更装置。
【請求項７】
前記ルーバベースが横長の四角枠状に形成され、前記縦ルーバの縦軸がルーバベースの天部と底部にそれぞれ回転自在に軸支されたことを特徴とする請求項１に記載の風向変更装置。
【請求項８】
前記ルーバベースの天部と底部とを連結する仕切壁が横方向に間隔をおいて配設されたことを特徴とする請求項７に記載の風向変更装置。
【請求項９】
前記ルーバベースが横長の四角枠状に形成され、前記回転軸の上端がルーバベースの天部に回転自在に軸支され、前記回転軸の下部に形成された嵌合部が前記ルーバベースの底部側の受け座に回転自在に支持されたことを特徴とする請求項１または２に記載の風向変更装置。
【請求項１０】
前記嵌合部に円弧状のガイドが設けられ、該ガイドに対向する前記ルーバベースの底部側の受け座に前記ガイドを移動自在に係合するガイド溝が形成されたことを特徴とする請求項９に記載の風向変更装置。
【請求項１１】
前記ガイド溝の溝壁にルーバベースの受け座より上方に突出する抜け止め用リブが形成されたことを特徴とする請求項１０に記載の風向変更装置。
【請求項１２】
前記ルーバユニットの嵌合部を前記モータ軸またはジョイント軸に案内する案内手段が設けられたことを特徴とする請求項１または２に記載の風向変更装置。
【請求項１３】
前記案内手段は、モータ軸またはジョイント軸が貫通するよう前記吹出し口の壁面から突出形成され筒部から構成されたことを特徴とする請求項１２に記載の風向変更装置。
【請求項１４】
前記筒部の上端に案内フランジが形成され、該案内フランジを上下方向で挟みながら前記開口から嵌合部まで導くよう、前記開口の口縁から嵌合部にかけて案内溝が形成されたことを特徴とする請求項１３に記載の風向変更装置。
【請求項１５】
前記縦ルーバの回転角度を規制するための角度規制手段が設けられたことを特徴とする請求項１または２に記載の風向変更装置。
【請求項１６】
前記角度規制手段が、駆動モータから縦ルーバへの動力伝達経路において、回転部とその受け部のうちの一方に形成された突起と、他方に所定の周長で形成された凹部とから構成されることを特徴とする請求項１５に記載の風向変更装置。
【請求項１７】
前記角度規制手段が、回転軸の嵌合部に形成されたことを特徴とする請求項１６に記載の風向変更装置。
【請求項１８】
前記角度規制手段がジョイント軸と筒部との間に形成されたことを特徴とする請求項１６に記載の風向変更装置。
【請求項１９】
前記角度規制手段が回転軸と縦ルーバとの間に形成されたことを特徴とする請求項１６に記載の風向変更装置。
【請求項２０】
請求項１〜１９のいずれかに記載の風向変更装置が室内ユニットの吹出し口に備えられたことを特徴とする空気調和機。
【請求項２１】
前記吹出し口に横ルーバが回転自在に枢支されたことを特徴とする請求項２０に記載の空気調和機。
【発明の詳細な説明】
【技術分野】
【０００１】
本発明は、複数の縦ルーバを備えるルーバユニットが吹出し口に対して着脱自在に設けられた風向変更装置およびこれを備えた空気調和機に関するものである。
【背景技術】
【０００２】
従来、空気調和機の室内ユニットにおいて、吹出し口に複数の縦ルーバを備えるルーバユニットを着脱自在に形設し、ルーバユニットの清掃や室内ユニットに内蔵する室内ファンの清掃を行いやすくするといった要望がある。
【０００３】
特許文献１は、室内ユニットから縦ルーバを備えた吹出し口自体を脱着可能とする技術が開示されている。
【０００４】
特許文献２には、縦ルーバを備えるルーバユニットを吹出し口から着脱自在とする技術が開示されている。
【０００５】
特許文献３には、羽根およびルーバを室内ユニットから着脱自在な保持具で一体に保持し、室内ユニット側に配置された駆動源と磁気カップリングや磁気減速ギヤを介して分離可能にした技術が開示されている。
【特許文献１】特開２００１−２０１０９０公報（明細書段落００１５、００３３〜００３７参照）
【特許文献２】特許第３３０６２５０号公報（明細書の段落００３３〜００３７、００４５〜００４６参照）
【特許文献３】特開２００１−１４７０２４号公報（明細書の段落０００７〜００１１参照）
【発明の開示】
【発明が解決しようとする課題】
【０００６】
ところで、ルーバユニットの縦ルーバは、連結棒などで連動して左右方向に風向を変更できるようになっているが、近年では、縦ルーバを駆動モータによって回動する機構が備えられている。従って、ルーバユニットを吹出し口に対して着脱自在に構成した場合、ルーバユニットと駆動モータとの連絡をいかにスムーズに行うかが課題となる。
【０００７】
しかし、特許文献１、２には、ルーバユニットの着脱に伴う縦ルーバの駆動源との連結について全く開示されていない。また、特許文献３では、磁気カップリングや磁気減速ギヤを使用した例が開示されているが、羽根やルーバさらには室内ファンを保持する保持具を室内ユニットから取り外す構成であるため、大掛かりな脱着作業となり、簡単にルーバユニットのみを取り外すことはできない。
【０００８】
また、駆動モータとルーバユニットのルーバ動力伝達部とを動力伝達ギヤを用いて連絡することも考えられるが、この場合、大きな部品であるルーバユニットを小さい部品であるギヤに連絡することになり、その嵌合組立て精度が要求されると共にルーバ動作に噛み合い不良によりギヤ音が発生するおそれがある。
【０００９】
本発明は、上記課題に鑑み、駆動モータとルーバユニットとの連絡をスムーズに行い得、かつ異音の低減を図り得る風向変更装置およびこれを備えた空気調和機の提供を目的としている。
【課題を解決するための手段】
【００１０】
上記目的を達成するため、本発明は、ルーバベースに複数の縦ルーバが横方向に間隔をおいて配列されると共に回動自在に枢支されてなるルーバユニットを備え、該ルーバユニットが吹出し口に着脱自在に設けられた風向変更装置であって、前記ルーバベースに縦ルーバと連絡する回転軸が回転自在に設けられ、該回転軸に前記吹出し口の風向変更用駆動モータのモータ軸に連結する嵌合部が設けられ、該嵌合部が前記ルーバベースに形成された開口を通して前記モータ軸に着脱自在に連結されることを特徴としている。
【００１１】
上記構成によると、ルーバユニットの回転軸に開口を通して駆動モータのモータ軸を着脱自在に連結する嵌合部を設けているので、ルーバユニットとモータ軸との連結はギヤを介することなく連結することになり、従って、ギヤの噛み込みによる異音の発生を防止することができる。
【００１２】
ここで、モータ軸と回転軸との連結は、直接連結する場合の他、モータ軸の先端にジョイント軸を嵌着し、該ジョイント軸が前記回転軸の嵌合部に着脱自在に連結される構成を含むものである。このようなジョイント軸を使用するのは、汎用の駆動モータをルーバユニットの仕様に合せるためであり、また、駆動モータのモータ軸とルーバユニットの回転軸との嵌合時に発生する衝撃をジョイント軸により吸収して駆動モータの損傷を防止するためである。  
【００１３】
この場合、ジョイント軸およびルーバユニットは、いずれもその素材は問わないが、合成樹脂により構成すれば、両者の嵌合時に発生する衝撃を吸収する上で好適である。
【００１４】
また、回転軸の嵌合部に、これをモータ軸またはジョイント軸と一体的に回転させるための回り止め手段を設け、モータ軸の空回りを防止することができる。この回り止め手段としては、回転軸の嵌合部とこれに嵌合するモータ軸またはジョイント軸の断面形状を軸中心に対して非円形に形成するのが最も簡単な構成である。
【００１５】
さらに、モータ軸またはジョイント軸と回転軸との連結は、モータ軸に対して横方向（モータ軸に直交する方向）から回転軸の嵌合部に嵌合する構成と、モータ軸に対して上方（モータ軸の軸方向）から嵌合する構成のいずれをも採用可能である。モータ軸の軸方向から嵌合する構成の場合、吹出し口に対してモータ軸またはジョイント軸を出退自在に上下動させてルーバユニットを着脱させることができる。
【００１６】
また、横方向から回転軸の嵌合部に嵌合する場合には、次の構成が例示できる。すなわち、ルーバベースの開口を、ルーバベースの一側端部の側面から底面にかけて連続して形成し、回転軸の嵌合部にモータ軸またはジョイント軸を横方向から嵌合する挿入口を形成し、これにより、前記開口を通してルーバユニットをモータ軸またはジョイント軸に横方向から進入させる態様が例示できる。
【００１７】
このような構成は、モータ軸の軸方向から嵌合させる形式に比べて、モータ軸側に特別の工夫を施すことがないので、簡単な構成となる。
【００１８】
ここで、ルーバユニットは取り外し部材となるため、ある程度の剛性がある方が望ましい。そこで、ルーバベースを横長の四角枠状に形成し、各縦ルーバの縦軸をルーバベースの天部と底部にそれぞれ回転自在に軸支する構成にすれば、枠状のルーバベースと、縦軸がルーバベースの天部および底部に軸支された縦ルーバとにより、ルーバユニットの剛性を高めることができる。さらにルーバユニットの剛性を高めるために、ルーバベースの天部と底部とを連結する仕切壁を横方向に間隔をおいて配設する構成も採用できる。なお、縦ルーバはその上下端がルーバベースに軸支されているので、軸倒れを防止することができる。
【００１９】
また、ルーバベースを横長の四角枠状に形成し、回転軸の上端をルーバベースの天部に回転自在に軸支し、下部に嵌合部を形成して、その嵌合部をルーバベースの底部側に回転自在に支持する構成を採用することができる。これにより、回転軸もその上下端をルーバベースに支持された態様となるので、軸倒れがなく、安定した動力伝達作用をなすことができる。
【００２０】
さらに、モータ軸またはジョイント軸は、回転軸の下部の嵌合部に同軸状に配置される構成となるため、嵌合部は、モータ軸またはジョイント軸を囲むように配置することになる。このルーバベースの上下端で回転軸を確実に支承するためには、嵌合部を回転自在に支承するために、嵌合部に円弧状のガイドを設け、該ガイドに対向する前記ルーバベースの底部側の受け座に前記ガイドを移動自在に係合するガイド溝を形成した構成が好適に採用できる。これにより、嵌合部はルーバベースの底部側のガイド溝に案内されて回転するため、さらに安定した動力伝達作用をなすことができる。
【００２１】
さらにまた、ガイド溝の溝壁にルーバベースの受け座より上方に突出する抜け止め用リブを形成すれば、回転軸の嵌合部と駆動モータのモータ軸またはジョイント軸が嵌合する際の衝撃などにより、回転軸の嵌合部がルーバベースから抜け出すのを防止することができる。
【００２２】
また、ルーバユニットの嵌合部をモータ軸またはジョイント軸に案内する案内手段を設けることができる。この案内手段は、モータ軸またはジョイント軸が貫通する吹出し口側の筒部を吹出し口の壁面から突出形成し、その筒部をルーバベースの開口から嵌合部に導くように構成することができる。これにより、ルーバユニットの着脱操作でモータ軸またはジョイント軸が損傷するのを防止することができる。
【００２３】
また、筒部の上端に案内フランジを形成し、この案内フランジを上下方向で挟みながら開口から嵌合部まで導くよう、前記開口の口縁から嵌合部にかけて案内溝を形成する構成を採用してもよい。これにより、ルーバユニットの案内溝が案内フランジを上下から挟み込み込むように着脱するので、ルーバユニットをモータ軸またはジョイント軸に確実に嵌合させることができる。
【００２４】
さらに、縦ルーバの回転角度を規制するための角度規制手段を設けることができる。この角度規制手段は、駆動モータから縦ルーバへの動力伝達経路において、回転部とその受け部のうちの一方に形成された突起と、他方に所定の周長で形成された凹部とから構成することができる。その配置位置としては、例えば、回転軸の嵌合部に設ける態様、ジョイント軸と筒部との間に設ける態様、回転軸の縦ルーバとの連絡部に設ける態様が例示でき、これらを単独または複数の態様を組合わせて構成することができる。
【００２５】
上記のような風向変更装置は、吹出し口を有する種々の機器に設置することができる。特に、空気調和機の室内ユニットの吹出し口に備えると、ルーバユニットそのものを清掃する場合のみならず、室内ユニットに内蔵される室内ファンやその他の内蔵部品の清掃も可能となる。
【００２６】
また、室内ユニットの吹出し口に横ルーバを回転自在に軸支し、前記風向変更装置のルーバユニットと組合わせて使用すれば、左右方向の風向変更のみならず、上下方向の風向も変更することができ、快適な室内空間を形成することができる。
【発明の効果】
【００２７】
以上のとおり、本発明によれば、ルーバユニットの回転軸にルーバベースに形成された開口を通して吹出し口の風向変更用駆動モータのモータ軸に着脱自在に連結する嵌合部を設けているので、回転軸の嵌合部とモータ軸とを直接またはジョイント軸を介して連結することになり、ギヤの噛み込みがなく異音の発生を低減することができる。
【００２８】
しかも、この風向変更装置を空気調和機の室内ユニットの吹出し口に設置すれば、ルーバユニットそのものを清掃する場合のみならず、室内ユニットに内蔵される室内ファンやその他の内蔵部品の清掃も可能となる。
【発明を実施するための最良の形態】
【００２９】
以下、本発明に係る風向変更装置を空気調和機の室内ユニットに組み込んだ実施形態について図面を用いて説明する。図１は本発明の実施形態を示す空気調和機の室内ユニットの側面断面図である。
【００３０】
本実施形態における空気調和機は、室内ユニット１と室外ユニット（図示略）に分離したセパレートタイプのものを例示する。室内ユニット１は、図１に示すように、ケーシング２の前面および上面に吸込み口３が形成され、前面下部に吹出し口４が形成されている。そして、吸込み口３から吹出し口４に至るケーシング２の内部空気流通路には、３分割された主熱交換器５，６，７と、そのうちの背面側熱交換器７の背面にさらに補助熱交換器８とが配置され、主熱交換器５〜７に囲まれて、その吹出し口４側にクロスフローファンからなる室内ファン９が内蔵されている。
【００３１】
吹出し口４には、その前面に上下２段の横ルーバ１０，１１が横軸１２回りに回動自在に軸支され、上下方向の空気の吹出し方向を変更できるようになっている。また、横ルーバ１０，１１は、吹出し口４を開閉自在に閉塞可能とされ、運転停止時に吹出し口４を閉じることができるようになっている。さらに、横ルーバ１０，１１は、その横軸１２を吹出し口４の側壁に対して着脱可能に構成して、内部の室内ファン９を清掃できるようにすることもできる。
【００３２】
この横ルーバ１０，１１よりも室内ファン８側で、ケーシング２の背面側空気案内壁には、風向変更装置１３が設けられている。
【００３３】
図２は風向変更装置のルーバユニットの正面図、図３はルーバユニットの平面断面図、図４はルーバユニットの駆動部への取付工程を示す斜視図、図５はルーバユニットの駆動部への取付状態を示す側面断面図、図６は駆動部の分解斜視図、図７はルーバユニットの動力伝達部の構成を示す分解斜視図、図８はルーバユニットの動力伝達部の正面図、図９は図８のＡ−Ａ断面図、図１０は図９のＢ−Ｂ断面図、図１１はルーバユニットの動力伝達用回転軸の断面図、図１２は図１１の回転軸とジョイント軸との回り止め手段を示す底面図である。
【００３４】
風向変更装置１３は、図５に示すように、ルーバユニット１４と、該ルーバユニット１４を着脱自在に連結する駆動モータ１５とから構成されている。
【００３５】
駆動モータ１５は、ステッピングモータなどから構成されており、図１、図５および図６に示すように、吹出し口４の背面側の案内壁１６に係合されるモータ台１７の背面にネジ１８により固定される。駆動モータ１５のモータ軸１５ａは、モータ台１７から吹出し口４側に突出され、その先端にジョイント軸１９が嵌合される。モータ軸１５ａはジョイント軸１９と一体回転可能に外周の一部が切除され、断面Ｄ形など非円形に形成され、これと同一形状のジョイント軸穴に係合される。
【００３６】
ジョイント軸１９は、モータ軸１５ａを係合連結するために少なくとも下面側が筒状に形成され、その軸穴がモータ軸１５ａの断面形状と対応して非円形に形成されている。ジョイント軸１９の素材は、ＰＯＭ（ポリアセタール）などの耐摺動性に優れた合成樹脂材から構成される。
【００３７】
また、ジョイント軸１９は、ルーバユニット１４の回転軸２０と一体回転できるように周壁の一部が軸中心に対して対称位置でカットされ断面非円形に形成された軸部１９ａを有している。この断面非円形の軸部１９ａは回転軸２０の回り止め手段の一部を構成している。
【００３８】
また、ジョイント軸１９の周壁には、モータ軸１８の回転角度を規制する角度規制用の突起１９ｂが軸対称位置に突出形成され、ジョイント軸１９の回転受け部となるモータ台１７の筒部２１には、前記突起２１を係合する所定周長の凹部２３が形成され、この凹部２３と前記突起１９ｂとによりジョイント軸１９の回転角度を規制する角度規制手段が構成される。
【００３９】
モータ台１７は、合成樹脂により形成されたものであって、その中央部にジョイント軸１９を貫通させる筒部２１と、該筒部２１の前面に外方向に拡がるリング状の案内フランジ２２が吹出し口４側に突出形成されている。筒部２１は、ルーバユニット１４のルーバベース２５の底部に形成された嵌合穴３１に嵌まり込んでルーバユニット１４を確実に案内し位置決めするためのもので、これにより、ルーバユニットの着脱操作でモータ軸またはジョイント軸が損傷するのを防止することができる。
【００４０】
案内フランジ２２は、ルーバベース２５の側面開口から進入してルーバベース２５の受け座３２と底部２５ｂとの間の案内溝に挟まれつつ前記筒部２１をルーバユニット１４の嵌合穴３１に導く案内機能を備えている。なお、モータ台１７は、吹出し口４の背面側案内壁１６にタップネジ２４等により固定される。
【００４１】
一方、前記ルーバユニット１４は、図２および図３に示すように、ルーバベース２５と、該ルーバベース２５に横方向に間隔をおいて配列され、縦軸２６により回動自在に枢支された複数の縦ルーバ２７と、複数の縦ルーバ２７同士を連結して連動させる横長の連結棒２８と、前記ルーバベース２５に回転自在に枢支されると共に前記連結棒２８の一端側に回転自在に連結される動力伝達用の回転軸２０とを備えている。これらルーバベース２５、縦ルーバ２７、連結棒２８および回転軸２０の各部材は、合成樹脂により形成され、また、各部材は、清掃を容易に行うことができるように、各々の連結部位で取り外し自在に連結することができる。
【００４２】
ルーバベース２５は、ＡＢＳ（アクリロニトリルブタジエンスチロール）、ＰＰ（ポリプロピレン）などの合成樹脂からなる平板状の板材が横長四角枠状に形成され、天部２５ａ、底部２５ｂ、および両側部２５ｃ、２５ｄで囲まれた内部空間が空気流通路となっている。この空気流通路に横方向に間隔をおいて複数の仕切壁２５ｅが天部２５ａと底部２５ｂとに差渡し一体形成され、ルーバベース２５の剛性を確保している。
【００４３】
ルーバベース２５の一端部には、前記駆動モータ１５のジョイント軸１９に嵌合するための開口３０が側部２５ｃおよび底部２５ｂに亘って連続形成されている。前記開口３０は、側部開口３０ａと底部開口３０ｂとからなり、側部開口３０ａは、図４に示すように、駆動モータ側の筒部２１およびフランジ２２並びにジョイント軸１９の進入を許す形状に形成される。また、底部開口３０ｂは、図９および図１０に示すように、モータ台１７の筒部２１を回転軸２０の直下の嵌合穴３１まで導く長さに設定されている。
【００４４】
この底部開口３０ｂの上方には、回転軸２０の下端嵌合部４１を回転自在に受ける受け座３２がルーバベース２５の底部２５ｂと間隔をおいて形成される。受け座３２は、ルーバベース２５の一部を構成するもので、図１０に示すように、正面視横Ｌ字形に形成され、その一端がルーバベース２５の側部２５ｃに、また他端が底部２５ｂにそれぞれ連結するように形成されている。そして、受け座３２と底部２５ｂとの間の空間部がルーバユニット１４を確実にジョイント軸１９に案内するフランジ２２の案内溝３２ｂとして機能としている。受け座３２には、前記側部開口３０ａに連続してジョイント軸１９を回転軸２０の嵌合部４１に導く鍵穴形の案内穴３２ａが形成され、この案内穴３２ａの奥側終端部にジョイント軸１９を位置決め嵌合する嵌合穴３１ａが形成されている。
【００４５】
一方、縦ルーバ２７は、図２，図３および図７に示すように、合成樹脂からなる平板状の羽根片から構成され、その背面側に縦方向の縦軸２６が固定され、前面側に連結棒２８と回転自在に連結するための連結ピン３３が下向きに突設されている。縦ルーバ２７は、ルーバベース２５の内部空間に横方向に複数枚間隔をおいて配列され、縦軸２６がルーバベース２５の天部２５ａと底部２５ｂに回転自在に軸支され、室内ファン９から吹出し口４側に流れる空気の風向を左右方向に変更できるようになっている。
【００４６】
連結棒２８は、合成樹脂製の棒材から構成され、ルーバベース２５の前側で仕切壁２５ｅを回避するようにして横方向に配置される。そして、図７に示すように、連結棒２８に間隔をおいて形成された係止孔２８ａに縦ルーバ２７の連結ピン３３が回転自在に連結され、連結棒２８の横方向への移動によって複数の縦ルーバ２７が連動して回転するようになっている。
【００４７】
また、ルーバベース２５の他端側の側部２５ｄには、図２に示すように、ルーバベース２５を吹出し口４の側面に係合固定するための係合穴３５ａ付の係合部３５が一体形成されている。
【００４８】
また、動力伝達用の回転軸２０は、ルーバユニット１４の一端側に配置されている。この回転軸２０は、合成樹脂により形成されており、また、図１１および図１２に示すように、回転軸部４０と、該回転軸部４０の下端に形成された嵌合部４１と、前記連結棒２８に連結するアーム部４２から構成される。回転軸部４０は、その上端がルーバベース２５の天部２５ａに回転自在に軸受されている。
【００４９】
嵌合部４１は、図１２に示すように、回転軸部４０の下端に形成されジョイント軸１９を嵌合する嵌合穴４１ａが形成されている。この嵌合穴４１ａに連通してジョイント軸１９を横方向から進入可能とする挿入口４５が横方向に形成されている。嵌合部４１の周壁は、平面視略Ｃ字状のガイド４６を形成し、該ガイド４６は、ルーバベース２５の底部２５ｂ側受け座３２に形成された円弧状のガイド溝４７（図７参照）に旋回自在に係合案内される。
【００５０】
また、嵌合部４１には、ジョイント軸１９と一体的に回転させるための回り止め手段４９が設けられている。回り止め手段４９は、ジョイント軸１９の非円形断面形状に合せて嵌合部４１のガイド４６の内側に、ジョイント軸挿入口４５の口壁に連続して一対の平行な回り止め壁４９ａが形成され、この回り止め壁４９ａ間の間隔Ｄ１が、ジョイント軸１９の軸部１９ａに形成された平行なカット面の間隔Ｄ２とほぼ等寸法に形成されてなる。
【００５１】
ルーバベース２５の受け座３２には、図７および図９に示すように、前記嵌合部４１のガイド４６に対向してガイド４６を旋回自在に案内するガイド溝４７が形成されている。ガイド溝４７はルーバベース２５の受け座３２より上方に突出する２条の円弧状のリブ５０間に形成される。このリブ５０は、回転軸２０の嵌合部４１と駆動モータ１５のジョイント軸１９が嵌合する際の衝撃などにより、回転軸２０の嵌合部４１がルーバベース２５の受け座３２から抜け出すのを防止するものである。
【００５２】
さらに、ガイド溝４７の底部には、図１０に示すように、角度規制用の凹部５２が所定の周長で形成され、また、嵌合部４１側のガイド４６の下端の一部には、前記凹部５２に係合して移動する突起５３が突出形成され、凹部５２の終端および始端の壁面５２ａ（図９参照）で突起５３の移動を阻止することにより嵌合部４１の旋回角度が所定の角度に規制されるようになっている。
【００５３】
回転軸２０のアーム部４２は、嵌合部４１の周壁から水平方向に突出され、該アーム部４２の先端に、前記連結棒２８の係止孔２８ａに回転自在に連結される連結ピン５４が下方に突出形成され、回転軸２０の回転によりアーム部４２が旋回することにより、連結棒２８が横方向へ移動し、この連結棒２８の移動により縦ルーバ２７が縦軸２６回りに回動して左右方向の風向を変更できるようになっている。
【００５４】
なお、連結棒２８のアーム部４２および縦ルーバ２７との連結部位には、これらの回動角度を規制する凹部２８ｂが形成され、該凹部２８ｂの側壁面とアーム部４２や縦ルーバ２７が当接することで、これらの部材の回動角度が規制されるようになっている。
【００５５】
上記構成において、ルーバユニット１４やその奥側の室内ファン９を清掃したい場合、ルーバユニット１４を室内ユニット１の吹出し口４から取り外して行うことができる。ルーバユニット１４の取り外しは、まず、ルーバユニット１４の他端部にある係合部３５を吹出し口４の側部から離脱させ、ルーバユニット１４の嵌合穴４１ａに係合しているジョイント軸１９から抜け出させ、開口３０から離脱させる。これにより、ルーバユニット１４を吹出し口４から簡単に取り外すことができる。
【００５６】
ルーバユニット１４等の清掃後にルーバユニット１４を吹出し口４に取り付けるには、図４に示すように、ルーバユニット１４の開口３０をジョイント軸１９に合せて差し込む。そうすると、ルーバユニット１４の底面開口３０ｂがモータ台１７の筒部２１に差し込まれ、また、ルーバユニット１４の側面開口３０ａがジョイント軸１９に差し込まれ、さらに、ルーバベース２５の底部２５ｂと受け座３２との間にモータ台１７の案内フランジ２２が挟まれるように案内され、筒部２１はルーバベース２５の嵌合穴３１に位置決めされ、また、嵌合部４１の嵌合穴４１ａにジョイント軸１９の軸部１９ａが回り止め壁４９ａで規制されながら嵌合される。これにより、回転軸２０がジョイント軸１９と一体回転可能に接続されたことになる。
【００５７】
そして、ルーバユニット１４をモータ台１７の筒部２１の回りに回転してルーバベース２５の他端部にある係合部３５を吹出し口４の側面にある係合部に係合すれば、ルーバユニット１４の取付が完了する。
【００５８】
この状態で駆動モータ１５を駆動回転させれば、その回転がモータ軸１５ａを介してジョイント軸１９に伝達されるが、このとき、ジョイント軸１９の突起１９ｂとモータ台１７の筒部２１の凹部２３とにより、ジョイント軸１９の回転が所定角度に回転規制される。
【００５９】
ジョイント軸１９に伝達された回転力は、回り止め壁４９ａを介して回転軸２０の嵌合部４１に伝達され、回転軸２０を回転させ、アーム部４２を介して連結棒２８から各縦ルーバ２７に伝達され、所望の角度でルーバ角度を変更することができる。
【００６０】
このように、ルーバユニット１４の回転軸２０にルーバベースの開口３０を通して吹出し口４の風向変更用駆動モータ１５のモータ軸（ジョイント軸を含む）に着脱自在に連結する嵌合部４１を設け、回転軸の嵌合部４１とモータ軸１５ａとをギヤを介することなく直接連結しているため、ギヤの噛み込みによる異音の発生を防止することができる。また、回り止め手段４９を嵌合部４１に設けているので、確実な動力伝達が可能となる。
【００６１】
なお、本発明は、上記実施形態に限定されるものではなく、本発明の範囲内で修正・変更を加えることができるのは勿論である。例えば、上記実施形態では、風向変更装置を空気調和機の室内ユニットに設けた例を示したが、ユニットバスの空調設備や温風暖房機などの吹出し口に設置してもよい。また、上記実施形態では、ジョイント軸１９と回転軸２０の嵌合部４１との連結構造について説明したが、ジョイント軸を使用せずモータ軸１５ａを直接回転軸２０の嵌合部４１に連結する構成を採用してもよい。
【図面の簡単な説明】
【００６２】
【図１】本発明の実施形態を示す空気調和機の室内ユニットの側面断面図
【図２】ルーバユニットの正面図
【図３】ルーバユニットの平面断面図
【図４】ルーバユニットの駆動部への取付工程を示す斜視図
【図５】ルーバユニットの駆動部への取付状態を示す側面断面図
【図６】駆動部の分解斜視図
【図７】ルーバユニットの動力伝達部の構成を示す分解斜視図
【図８】ルーバユニットの動力伝達部の正面図
【図９】図8のＡ−Ａ断面図
【図１０】図９のＢ−Ｂ断面図
【図１１】ルーバユニットの動力伝達用回転軸の断面図
【図１２】図１１の回転軸とジョイント軸との回り止め手段を示す底面図
【符号の説明】
【００６３】
１    室内ユニット
２    ケーシング
３    吸込み口
４    吹出し口
５〜７    主熱交換器
８    補助熱交換器
９    室内ファン
１０，１１  横ルーバ
１２    横軸
１３    風向変更装置
１４    ルーバユニット
１５    駆動モータ
１５ａ  モータ軸
１６    背面側案内壁
１７    モータ台
１８    ネジ
１９    ジョイント軸
２０    回転軸
２１    筒部
２２    案内フランジ
２５    ルーバベース
２７    縦ルーバ
２８    連結棒
２０    開口
３１    嵌合穴
３２    受け座
３３    連結ピン
３５    係合部
４０    回転軸部
４１    嵌合部
４２    アーム部
４５    挿入口
４６    ガイド
４７    ガイド溝
４９    回り止め手段
５０    リブ
５３    規制片
【図１】
2005147486.tif 000003
【図２】
2005147486.tif 000004
【図３】
2005147486.tif 000005
【図４】
2005147486.tif 000006
【図５】
2005147486.tif 000007
【図６】
2005147486.tif 000008
【図７】
2005147486.tif 000009
【図８】
2005147486.tif 000010
【図９】
2005147486.tif 000011
【図１０】
2005147486.tif 000012
【図１１】
2005147486.tif 000013
【図１２】
2005147486.tif 000014